(57)【要約】【課題】１枚の導光板を溝によって各バックライトブロックに分割する構成のバックライトにおける輝度ムラを抑制する。【解決手段】バックライト１５は、バックライト制御部１８によってそれぞれの点灯と消灯が制御される複数のバックライトブロック３４ａ〜３４ｅを有しており、バックライトブロック３４ａ〜３４ｅには、それぞれ導光部３１ａ〜３１ｅが配置されている。導光部３１ａ〜３１ｅは、一つの導光板３０の液晶表示パネル１４に対向する面とは反対側の面に、隣接するバックライトブロック３４ａ〜３４ｅの境界位置に沿って形成された第１の溝３５ａｂ、３５ｂｃ、３５ｃｄ、３５ｄｅによって分けられた複数の領域の一つであり、第１の溝３５ａｂ、３５ｂｃ、３５ｃｄ、３５ｄｅに平行な一または複数の第２の溝３６が設けられている。【選択図】図２
2009031445.tif 000002
【特許請求の範囲】
【請求項１】
液晶表示パネルと、
光源および導光部が配置されており、前記光源から出た光を前記導光部によって誘導し前記液晶表示パネルを照明するバックライトブロックを、複数個有するバックライトと、
複数の前記バックライトブロックのそれぞれについて点灯と消灯とを制御するバックライト制御部とを備え、
前記各導光部は、一つの導光板の前記液晶表示パネルに対向する面とは反対側の面に、隣接する前記バックライトブロックの境界位置に沿って形成された第１の溝によって分けられた複数の領域の一つであり、
前記各領域内の前記液晶表示パネルに対向する面とは反対側の面には、前記第１の溝に平行な一または複数の第２の溝が設けられている、液晶表示装置。
【請求項２】
前記第１の溝および前記第２の溝はＶ字型の溝である、請求項１に記載の液晶表示装置。
【請求項３】
前記第１の溝と前記第２の溝の深さは同じである、請求項２に記載の液晶表示装置。
【請求項４】
前記第１の溝は、前記第２の溝よりも深く形成されている、請求項２に記載の液晶表示装置。
【請求項５】
全ての前記第１の溝および前記第２の溝は、隣の溝と接するように連続して形成されている、請求項２に記載の液晶表示装置。
【請求項６】
前記第１の溝および前記第２の溝の少なくともいずれか一方の両端部は開口されていない、請求項３乃至５のいずれかに記載の液晶表示装置。
【請求項７】
前記液晶表示パネルと前記導光板の間に、前記各導光部から前記液晶表示パネル側に出た光を拡散させる光拡散層を備えた、請求項２または６に記載の液晶表示装置。
【請求項８】
前記液晶表示パネルには、ＯＣＢ液晶が用いられている、請求項２、６、７のいずれかに記載の液晶表示装置。
【発明の詳細な説明】
【技術分野】
【０００１】
本発明は、複数のバックライトブロックに分割されたバックライトを備えた液晶表示装置に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図９は、ＯＣＢモードの液晶表示素子が有する液晶分子の配向状態を模式的に示した断面図である。図９（ａ）及び図９（ｂ）は、電圧印加状態を示した断面図であり、図９（ｃ）は、電圧無印加状態を示した断面図である。
【０００５】
ＯＣＢモードの液晶表示素子を用いた液晶表示装置を構成する液晶表示パネルのガラス基板７１の間には、図９（ａ）、図９（ｂ）、及び図９（ｃ）に液晶分子７２として示すように、ネマチック液晶が注入されている。そして、電圧を印加していない液晶の配向状態は、スプレイ状態７３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図９（ｃ）に示すスプレイ状態７３から図９（ａ）、及び図９（ｂ）に示すベンド状態７４ａ、７４ｂに転移させる駆動のことを言う。このベンド状態７４ａ、７４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図９（ａ）に示すベンド状態７４ａは、白表示をしている場合のベンド状態を示し、図９（ｂ）のベンド状態７４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態７４ａ、７４ｂからスプレイ状態７３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために黒色に対応する電圧を画素に印加する動作と、映像信号に対応する電圧を画素に印加する動作とを交互に行う、２倍速変換と呼ばれる逆転移防止駆動がある（例えば、特許文献１参照）。以下この２倍速変換を黒挿入駆動と呼ぶ。
【０００９】
従って、従来のＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
上述した、黒挿入駆動を用いることにより、ＯＣＢモードの液晶表示素子を用いた液晶表示装置の表示を、ＣＲＴのようなインパルス型の表示に近づけることができる。その理由は、ＯＣＢモードの液晶表示素子の利点である高速応答性を利用することができるからである。黒挿入駆動を用いることにより、動画視認性を向上させるとともに、高いコントラストの表示を行うことができる。
【００１１】
なお、現在広く使用されているＴＮ（Ｔｗｉｓｔｅｄ  Ｎｅｍａｔｉｃ）配向液晶表示パネル等のＯＣＢモード以外の液晶表示パネルにおいても、動画視認性を向上させるために、上述した２倍速変換が用いられることがある。このような場合の液晶表示装置の駆動も、黒挿入駆動と呼ぶことにする。
【００１２】
さらに、近年は、ＬＥＤを用いたバックライトの普及や、冷陰極管の高速応答性が向上したことに伴い、ソースドライバ等による液晶表示パネルの駆動に連動してバックライトを駆動するバックライトの駆動方式も実施されつつある（例えば、特許文献２参照）。
【００１３】
以下に、そのようなバックライトの駆動方式を行う従来の液晶表示装置について説明する。
【００１４】
図１０は、黒挿入駆動を行うとともに、ソースドライバ等による液晶表示パネルの駆動に連動してバックライトを駆動する、従来の液晶表示装置１０１のブロック図である。
【００１５】
液晶表示装置１０１は、液晶表示パネル１４、バックライト５０、ソースドライバ１１、ゲートドライバ１２、コントローラ１３、フレームメモリ１６、液晶駆動電圧発生回路１７、及びバックライト制御部１８を備えている。
【００１６】
液晶表示パネル１４は、アクティブマトリクス方式の液晶表示パネルである。すなわち、液晶表示パネル１４は、アレイ基板上に、信号線と走査線とがマトリックス状に配置され、それらの交点毎にスイッチング素子及び画素電極が形成されており、そのアレイ基板と、対向電極が形成された対向基板との間に液晶層が狭持されている。そして、この液晶層としてＯＣＢモード液晶が用いられている。また、液晶表示パネル１４の対向基板に赤色、緑色、青色のカラーフィルタが設けられている。
【００１７】
バックライト５０は、液晶表示パネル１４の背面に配置されており、複数のバックライトブロックに分割されており、各バックライトブロックにはそれぞれ光源であるＬＥＤ及び導光板が設けられている。
【００１８】
ここで、従来の液晶表示装置１０１のバックライト５０の構成について、図１１（ａ）、図１１（ｂ）及び図１２を用いて説明する。
【００１９】
図１１（ａ）は、液晶表示パネル１４の表示面と直交する方向から見たバックライト５０の平面図であり、図１１（ｂ）は、図１１（ａ）に示すバックライト５０のＡ−Ａ´断面図である。
【００２０】
図１１（ａ）及び図１１（ｂ）に示すように、バックライト５０は、複数のバックライトブロック５５ａ〜５５ｅに分割されている。そして、これら複数のバックライトブロック５５ａ〜５５ｅのそれぞれの両端には、光源であるＬＥＤ５３ａ〜５３ｅ、ＬＥＤ５４ａ〜５４ｅがそれぞれ配置されている。
【００２１】
また、複数のバックライトブロック５５ａ〜５５ｅのそれぞれには、さらに、導光板５２ａ〜５２ｅがそれぞれ配置されている。
【００２２】
図１２は、各導光板５２ａ〜５２ｅの配置を示す図であり、ＬＥＤ５３ａ〜５３ｅ側の側面上方から見た斜視図である。各導光板５２ａ〜５２ｅは、図１２に示すように、隣接する導光板と側面が接触するように構成されている。そして、隣接配置された各導光板５２ａ〜５２ｅの境界面５２ａｂ、５２ｂｃ、５２ｃｄ、５２ｄｅは、鏡面仕上げされており、隣の導光板側への光漏れを極力低減する構造となっている。
【００２３】
図１１（ａ）において、それぞれのバックライトブロック５５ａ〜５５ｅは、そのバックライトブロックが対向している液晶表示パネル１４の表示領域の部分を主に照明するものである。なお、バックライト５０の光源であるＬＥＤ５３ａ〜５３ｅ、５４ａ〜５４ｅが射出する光の色は白色である。
【００２４】
図１０において、液晶駆動電圧発生回路１７は、ソースドライバ１１及びゲートドライバ１２に供給する電圧を調整する回路である。
【００２５】
ゲートドライバ１２は、液晶表示パネル１４の走査線にゲート信号を供給する回路である。
【００２６】
ソースドライバ１１は、表示期間には表示用信号に対応する電圧を供給し、黒挿入期間には黒色に対応する電圧を、液晶表示パネル１４の信号線に供給する回路である。
【００２７】
コントローラ１３は、信号処理部２１及びタイミング制御部２２を備えており、ソースドライバ１１は、Ｄ／Ａ変換部２３及びシフトレジスタ２４を備えている。
【００２８】
タイミング制御部２２は、ゲートドライバ１２を動作させるタイミングや、画像信号を信号処理部２１からソースドライバ１１のシフトレジスタ２４に送るタイミングを制御するとともに、バックライト５０の点灯消灯を、ソースドライバ１１等による液晶表示パネル１４の駆動に連動させるための信号であるバックライト制御信号をバックライト制御部１８に送る回路である。
【００２９】
バックライト制御部１８は、タイミング制御部２２から送られてくるバックライト制御信号に従って、バックライト５０の点灯消灯を制御するものである。
【００３０】
フレームメモリ１６は、１画面分の映像信号を格納するメモリである。液晶表示装置１０に入力される映像信号は、一旦フレームメモリ１６に蓄積され、信号処理部２１は、その蓄積された映像信号データに逆転移を防止するための黒色データを挿入し、その２倍速変換したデータをソースドライバ１１のシフトレジスタ２４に転送する。
【００３１】
次に、このような従来の液晶表示装置１０１の動作を主にバックライト５０の制御を中心に説明する。
【００３２】
液晶表示装置１０１の電源が入れられた際には、液晶表示パネル１４の液晶層は、図９（ｃ）に示すようにスプレイ状態７３のままであるので、図９（ａ）のベンド状態７４ａや図９（ｂ）のベンド状態７４ｂに転移させる必要がある。そこで、液晶表示装置１０１の電源が入れられた際には、液晶表示装置１０１は、液晶層をスプレイ状態からベンド状態に転移させるために転移駆動を行う。すなわち、ソースドライバ１１は、画素電極と対向電極との間の電圧が所定の時間だけ２０ボルトから２５ボルトという映像を表示する際の電圧よりも高い電圧になるように、転移駆動のための電圧として、信号線に２０ボルトから２５ボルトの電圧を印加する。従って、液晶層には転移駆動のための電圧が所定時間印加されることになるので、液晶表示パネル１４の液晶層は、スプレイ状態からベンド状態に転移し、液晶表示装置１０１の表示動作が可能となる。
【００３３】
上記のように転移駆動が完了し、表示動作が可能になると、液晶表示装置１０１は表示動作を開始する。
【００３４】
コントローラ１３のタイミング制御部２２は、液晶表示装置１０１が表示動作を行う際には、外部から入力される映像信号に応じて、ゲートドライバ１２、ソースドライバ１１にそれぞれ制御信号を送る。その結果、ゲートドライバ１２は、各走査線に走査信号電圧を印加して各画素のスイッチング素子を順次オンさせる。
【００３５】
表示期間には、ソースドライバ１１は、ゲートドライバ１２が各走査線に走査信号電圧を印加するタイミングに合わせて、各信号線に映像信号に応じた電圧を印加し、各画素に、映像信号に応じた電圧が書き込まれる。これにより映像信号に対応する画像が液晶表示パネル１４に表示される。
【００３６】
また、黒挿入期間には、ソースドライバ１１は、ゲートドライバ１２が各走査線に走査信号電圧を印加するタイミングに合わせて、各信号線に黒色に対応する電圧を印加し、各画素に黒色に対応する電圧が書き込まれる。これにより、黒色の画像が液晶表示パネル１４に表示される。
【００３７】
さらに、タイミング制御部２２は、上述したソースドライバ１１等による液晶表示パネル１４の駆動に連動させるための信号であるバックライト制御信号をバックライト制御部１８に供給する。
【００３８】
バックライト制御部１８は、タイミング制御部２２から送られてくるバックライト制御信号に基づいて、バックライトブロック５５ａ〜５５ｅのそれぞれの点灯消灯を制御する。
【００３９】
すなわち、バックライト制御部１８は、液晶表示パネル１４の表示画面のうちバックライトブロック５５ａに対向している表示画面の領域について、画素に映像信号に対応する電圧を書き込み始めると同時にバックライトを点灯する。
【００４０】
バックライト制御部１８は、同様の制御を、バックライトブロック５５ｂ〜５５ｅに対しても行う。バックライト制御部１８が行う制御について、図１３を参照して以下にさらに詳細に説明する。
【００４１】
図１３は、図１０に示した液晶表示装置１０１における黒挿入駆動時の、ゲートパルス、及びバックライトブロック５５ａ〜５５ｅの点灯消灯のタイミングチャートの一例を示している。図１３において、紙面に向かって左側から右側に時間が経過する。すなわち、紙面に向かって左側が過去であり、右側が未来である。
【００４２】
図１３の最上部のタイミングチャートは、タイミング制御部２２から出力されるバックライト制御信号の一つである垂直同期信号を示している。
【００４３】
図１３のＧ１〜Ｇ２０は走査線を区別するために付した符号であり、それら符号の右側には、ゲートドライバ１２から各走査線Ｇ１〜Ｇ２０に出力されるゲート信号のタイミングを示している。また、図１３のバックライトブロック５５ａ〜５５ｅの表示の右側には、各バックライトブロック５５ａ〜５５ｅの輝度を示す信号のタイミングが示されており、ハイ状態が点灯を表し、ロー状態が消灯を示している。
【００４４】
液晶表示パネル１４では、走査線Ｇ１〜Ｇ４に対応する画素列がバックライトブロック５５ａに対向しており、走査線Ｇ５〜Ｇ８に対応する画素列がバックライトブロック５５ｂに対向しており、走査線Ｇ９〜Ｇ１２に対応する画素列がバックライトブロック５５ｃに対向しており、走査線Ｇ１３〜Ｇ１６に対応する画素列がバックライトブロック５５ｄに対向しており、走査線Ｇ１７〜ＧＧ２０に対応する画素列がバックライトブロック５５ｅに対向するように配置されている。
【００４５】
なお、図１３においては、理解を容易にするための走査線がＧ１〜Ｇ２０の２０本であるとして図示しているが、実際には多数の走査線がある。例えば、液晶表示パネル１４の表示画面で、横方向に画素が１２８０個配列されており、縦方向に画素が１０２４個配列されている場合には、走査線は１０２４本存在していることになる。
【００４６】
また、図１３において、各ゲート信号がハイになる時期の右側に示す符号は、各ゲート信号がハイになるタイミングに画素に書き込まれる電圧の種別を示している。表示用データに対応する電圧が画素に書き込まれる場合をＳで示し、黒挿入のための黒色に対応する電圧が画素に書き込まれる場合をＢで示している。
【００４７】
走査線Ｇ１については、表示用データに対応する電圧がソースドライバ１１から出力されるタイミングに合わせて、走査線Ｇ１のゲート信号がハイになり、走査線Ｇ１上の各画素に表示用データに対応する電圧が書き込まれる。次に、黒挿入のための黒色に対応する電圧がソースドライバ１１から出力されるタイミングに合わせて、走査線Ｇ１のゲート信号が再びハイになり、走査線Ｇ１上の各画素に黒挿入のための黒色に対応する電圧が書き込まれる。
【００４８】
走査線Ｇ２については、走査線Ｇ１のゲート信号がハイになるタイミングに対して所定の時間だけ遅れて、走査線Ｇ２のゲート信号がハイになり、そのタイミングに合わせて、表示用データまたは黒挿入のための黒色に対応する電圧が走査線Ｇ２上に存在する各画素に書き込まれる。
【００４９】
以下同様にして、各走査線のゲート信号がハイになるタイミングにあわせて、表示用データまたは黒色の挿入用データがその走査線上に存在する各画素に書き込まれていく。
【００５０】
このように、各走査線Ｇ１〜Ｇ２０が１フレーム期間（または１フィールド期間）にそれぞれ２回ずつ選択され、各走査線Ｇ１〜Ｇ２０上の画素には、表示用データに対応する電圧と、黒色の挿入用データに対応する電圧とが１回ずつ書き込まれる。したがって、表示用データを書き込む一方で周期的に黒色の挿入用データを書き込む黒挿入駆動を実現することができる。
【００５１】
一方、バックライト制御部１８は、タイミング制御部２２から供給されてくるバックライト制御信号に従って、上述した黒挿入駆動に連動するように、各バックライトブロック５５ａ〜５５ｅの点灯消灯を制御する。
【００５２】
図１３で説明したように、時間が経過するにつれて、液晶表示装置１０１は、１フレーム期間（または１フィールド期間）において、液晶表示パネル１４の表示画面の上から下に向かって表示信号が表示され、その後、表示画面の上から下に向かって黒挿入のための黒色が表示されていく。
【００５３】
図１３に示す様に、時期Ｔ１に、タイミング制御部２２からバックライト制御信号でもある垂直同期信号がハイ状態になり１フレーム期間（または１フィールド期間）が開始される。
【００５４】
時期Ｔ１を経過した後、時期Ｔ２までの時期においては、バックライト制御部１８は、走査線Ｇ１〜Ｇ４に対応する各画素列を主に照明するバックライトブロック５５ａだけ点灯させ、バックライトブロック５５ｂ〜５５ｅは消灯させる。
【００５５】
時期Ｔ２を経過した後、時期Ｔ３までの時期においては、バックライト制御部１８は、バックライトブロック５５ａを点灯させたまま、走査線Ｇ５〜Ｇ８に対応する各画素列を主に照明するバックライトブロック５５ｂを点灯させ、バックライトブロック５５ｃ〜５５ｅを消灯させる。
【００５６】
そして、時期Ｔ３を経過した後、時期Ｔ４までの時期においては、走査線Ｇ１〜Ｇ４に対応する各画素列への黒挿入のための黒色に対応する電圧の書き込みが完了しているので、バックライト制御部１８は、バックライトブロック５５ａを消灯させる。このとき、バックライト制御部１８は、バックライトブロック５５ｂを点灯させたまま、走査線Ｇ９〜Ｇ１２に対応する各画素列を主に照明するバックライトブロック５５ｃを点灯させ、バックライトブロック５５ｄ、５５ｅを消灯させる。
【００５７】
以下、同様にバックライト制御部１８は、順次バックライトブロック５５ａ〜５５ｅが点灯するようにバックライトブロック５５ａ〜５５ｅを制御する。
【００５８】
また、時期Ｔ７を経過した後、次のフレーム期間（またはフィールド期間）の開始時期Ｔ１までの時期において、バックライト制御部１８は、全てのバックライトブロック５５ａ〜５５ｅが消灯するようバックライトブロック５５ａ〜５５ｅを制御する。
【００５９】
バックライト制御部１８は、上記の制御を１フレーム期間（または１フィールド期間）毎に繰り返す。このようにして、バックライト制御部１８は、タイミング制御部２２から供給されてくるバックライト制御信号に従って、黒挿入駆動に連動するように、各バックライトブロック５５ａ〜５５ｅの点灯消灯を制御する。
【００６０】
なお、図１３に示した各バックライトブロック５５ａ〜５５ｅの点灯消灯のタイミングは一例であって、このようなタイミングで制御することに限定されるものではない。輝度やコントラストなどの何れを優先させるかによって、各バックライトブロック５５ａ〜５５ｅの点灯消灯のタイミングを設定すればよい。
【００６１】
例えば、各走査線において、表示用データに対応する電圧が画素に書き込まれるタイミング（Ｓ）に対する、黒挿入のための黒色に対応する電圧が画素に書き込まれるタイミング（Ｂ）が、図１３よりも遅く、表示用データが画素に書き込まれている期間が図１３よりも長い場合には、バックライトブロック５５ａを走査線Ｇ４の表示用データを書き込み終わった時点で点灯させ、走査線Ｇ１の黒色データを書き込む時点で消灯させるように制御してもよい。他の走査線Ｇ５〜Ｇ２０およびバックライトブロック５５ｂ〜５５ｅについても同様のタイミングで制御する。各バックライトブロック５５ａ〜５５ｅの点灯消灯のタイミングをこのように制御した場合、動画応答やコントラストを最も向上させることができる。
【００６２】
このように、バックライト５０を複数のバックライトブロック５５ａ〜５５ｅに分割し、上述した黒挿入駆動に連動させてバックライトブロック５５ａ〜５５ｅを点灯消灯させるように、バックライト制御部１８がバックライトブロック５５ａ〜５５ｅの点灯消灯のタイミングを制御する。つまり黒挿入のための黒色に対応する電圧が画素に書き込まれたときには、その部分に対応するバックライトブロックを消灯する。
【００６３】
これにより、液晶表示装置１０１の動画視認性を向上することができるとともに、高コントラスト化や低消費電力化をも実現することができる。
【００６４】
しかし、図１２に示すような、異なる導光板５２ａ〜５２ｅをそれらの側面で隣接させる構成では、液晶表示パネル１４に対向する面において、境界面５２ａｂ、５２ｂｃ、５２ｃｄ、５２ｄｅの位置で段差が生じてしまう。このような構成において、この段差を生じさせなくすることは製造工程上困難である。
【００６５】
この段差によって、段差の部分に影部が生じてしまう。すなわち、液晶表示パネル１４に画像を表示させる際に、境界面５２ａｂ、５２ｂｃ、５２ｃｄ、５２ｄｅの位置に沿った暗いスジ状の影部が生じ、その部分が暗い線として視認されてしまう。
【００６６】
異なる複数の導光板５２ａ〜５２ｅを用いる構成では、導光板５２ａ〜５２ｅを単純に接触させるのではなく、例えば各導光板の境界にビーズを散布して空気層を設けたとしても、この暗いスジ状の影部は生じてしまう。
【００６７】
そこで、この暗いスジ状の影部の発生を防止するために、１枚の導光板に溝を形成し、その溝によって各バックライトブロックに分割する構成とした。
【００６８】
図１４（ａ）は、１枚の導光板を溝によって各バックライトブロックに分割する構成のバックライト５６の平面図であり、図１４（ｂ）は、図１４（ａ）に示すバックライト５６のＡ−Ａ´断面図である。また、図１５は、このバックライト５６で用いる導光板６０の、ＬＥＤ５３ａ〜５３ｅ側の側面上方から見た斜視図を示している。なお、図１１と同じ構成部分には、同じ符号を用いている。
【００６９】
バックライト５６は、複数のバックライトブロック５９ａ〜５９ｅで構成されている。そして、これら複数のバックライトブロック５９ａ〜５９ｅのそれぞれの両端には、光源であるＬＥＤ５３ａ〜５３ｅ、ＬＥＤ５４ａ〜５４ｅがそれぞれ配置されている。
【００７０】
そして、複数のバックライトブロック５９ａ〜５９ｅのそれぞれには、さらに、導光部５７ａ〜５７ｅがそれぞれ配置されている。
【００７１】
導光部５７ａ〜５７ｅは、１枚の導光板６０の、液晶表示パネル１４とは反対側の面に形成したＶ溝５８ａｂ、５８ｂｃ、５８ｃｄ、５８ｄｅによって分割される各領域である。
【００７２】
バックライト５６は、複数の導光部５７ａ〜５７ｅが１枚の導光板６０によって構成されているので、液晶表示パネル１４に対向する側の面には段差が無く、図１１のような異なる複数の導光板５２ａ〜５２ｅを用いる構成の場合に生じていた、バックライトブロック境界の段差による暗いスジ状の影部の問題は生じない。
【特許文献１】特開２００３−２８０６１７号公報
【特許文献２】特開平１１−２９７４８５号公報
【発明の開示】
【発明が解決しようとする課題】
【００７３】
しかしながら、図１４及び図１５に示すような１枚の導光板を溝によって各バックライトブロックに分割する構成にした場合には、バックライトブロック境界の段差によるスジ状の影部の発生を防止できるものの、分割する溝に沿って明るいスジ状の部分が見えることがある。
【００７４】
上記明るいスジ状の部分の発生理由についてさらに詳細に説明する。
【００７５】
図１６（ａ）は、図１４（ａ）に示した導光部５７ａ〜５７ｅを有する導光板６０のＡ−Ａ´断面図を示している。図１６（ｂ）は、上記明るいスジ状の部分の発生を説明するための図で、図１６（ａ）の破線で囲んだ部分を表している。
【００７６】
各導光部５７ａ〜５７ｅ内の光がＶ溝の部分から外に漏れないようにするため、各Ｖ溝５８ａｂ、５８ｂｃ、５８ｃｄ、５８ｄｅの表面は、凹凸を無くすために鏡面加工されている。ここで、溝の幅が大きいと、液晶表示装置１０１を駆動していないときに液晶表示パネル１４側の表面に溝の影が見えてしまうので、溝の幅は数ミクロン程度の狭い幅にする必要がある。溝の形状は垂直な壁形状が理想的ではあるが、削り出し加工や金型による加工などのいずれの加工方法を用いても、そのような幅の狭い垂直な壁形状で鏡面加工された溝を形成させることは困難であるため、各バックライトブロック５９ａ〜５９ｅを分割するための溝は、Ｖ字型形状のＶ溝５８ａｂ、５８ｂｃ、５８ｃｄ、５８ｄｅとしている。
【００７７】
図１６（ｂ）に示すように、Ｖ溝５８ｂｃの溝表面は鏡面加工されているため、鏡面加工された溝表面における光の反射の影響により、導光板６０の液晶表示パネル１４側表面では、Ｖ溝５８ｂｃの上部に、それ以外の部分よりも多くの光が集まる。図１６（ｂ）に示した矢印は、光の進む方向を模式的に示したものであり、Ｖ溝５８ｂｃの上部により多くの光が集まることを示している。
【００７８】
したがって、導光板６０の液晶表示パネル１４側表面では、より多くの光が集まる部分が、各Ｖ溝５８ａｂ、５８ｂｃ、５８ｃｄ、５８ｄｅに沿って明るい線状となって見える。この導光板６０表面の明るく見える部分を明線部分と呼ぶ。図１６（ｂ）に示すように、導光部５７ｂ及び５７ｃの液晶表示パネル１４側表面の通常輝度部分に比べて、導光部５７ｂと５７ｃを分割しているＶ溝５８ｂｃ上部の明線部分が明るく表示されることになる。
【００７９】
図１１のような異なる複数の導光板５２ａ〜５２ｅを用いる構成の場合に生じていた、バックライトブロック境界の段差による暗いスジ状の影部は、周りが明るい中の暗い線状であるため目立ちやすいのに比べれば、Ｖ溝５８ａｂ、５８ｂｃ、５８ｃｄ、５８ｄｅの反射による影響によって生じる明線部分は、明るい中のより明るい線状なので目立ちにくいものの表示される映像などによっては明らかに視認されてしまう。
【００８０】
導光板６０表面に拡散シート６１を配置してぼかしたとしても、この明線部分は、スジムラ画質不良として認識されてしまう。
【００８１】
また、各バックライトブロック５９ａ〜５９ｅ間の光の漏れ量を多くすることにより、この明線部分を目立たなくさせることができるが、そのように対応した場合には、コントラスト及び動画の応答性が低下してしまう。
【００８２】
本発明は、上記従来の液晶表示装置のこのような課題を考慮し、バックライトを複数のバックライトブロックに分割して構成した場合、液晶表示パネルの表示画面に見える輝度ムラを従来に比べて抑制することができる液晶表示装置を提供することを目的とする。
【課題を解決するための手段】
【００８３】
上述した課題を解決するために、第１の本発明は、
液晶表示パネルと、
光源および導光部が配置されており、前記光源から出た光を前記導光部によって誘導し前記液晶表示パネルを照明するバックライトブロックを、複数個有するバックライトと、
複数の前記バックライトブロックのそれぞれについて点灯と消灯とを制御するバックライト制御部とを備え、
前記各導光部は、一つの導光板の前記液晶表示パネルに対向する面とは反対側の面に、隣接する前記バックライトブロックの境界位置に沿って形成された第１の溝によって分けられた複数の領域の一つであり、
前記各領域内の前記液晶表示パネルに対向する面とは反対側の面には、前記第１の溝に平行な一または複数の第２の溝が設けられている、液晶表示装置である。
【００８４】
また、第２の本発明は、
前記第１の溝および前記第２の溝はＶ字型の溝である、第１の本発明の液晶表示装置である。
【００８５】
また、第３の本発明は、
前記第１の溝と前記第２の溝の深さは同じである、第２の本発明の液晶表示装置である。
【００８６】
また、第４の本発明は、
前記第１の溝は、前記第２の溝よりも深く形成されている、第２の本発明の液晶表示装置である。
【００８７】
また、第５の本発明は、
全ての前記第１の溝および前記第２の溝は、隣の溝と接するように連続して形成されている、第２の本発明の液晶表示装置である。
【００８８】
また、第６の本発明は、
前記第１の溝および前記第２の溝の少なくともいずれか一方の両端部は開口されていない、第３乃至第５のいずれかの本発明の液晶表示装置である。
【００８９】
また、第７の本発明は、
前記液晶表示パネルと前記導光板の間に、前記各導光部から前記液晶表示パネル側に出た光を拡散させる光拡散層を備えた、第２または第６の本発明の液晶表示装置である。
【００９０】
また、第８の本発明は、
前記液晶表示パネルには、ＯＣＢ液晶が用いられている、第２、第６、第７のいずれかの本発明の液晶表示装置である。
【発明の効果】
【００９１】
本発明により、バックライトを複数のバックライトブロックに分割して構成した場合、液晶表示パネルの表示画面に見える輝度ムラを従来に比べて抑制することができる液晶表示装置を提供できる。
【発明を実施するための最良の形態】
【００９２】
以下に、本発明の実施の形態を図面を参照しながら説明する。
【００９３】
（実施の形態１）
図１は、本発明の実施の形態１の液晶表示装置の構成を示すブロック図である。
【００９４】
図１に示す本実施の形態１の液晶表示装置１０は、背景技術で説明した液晶表示装置１０１と同様に、黒挿入駆動を行うとともに、液晶表示パネルの駆動に連動してバックライトを駆動する装置であり、バックライト１５を除き基本的には図１０と同じ構成であるので、同じ構成のものには同じ符号を付し、その説明を省略する。
【００９５】
なお、本実施の形態１の液晶表示装置１０は、背景技術で説明した液晶表示装置１０１と同様にＯＣＢモードの液晶表示素子を用いた液晶表示装置であるとして説明し、黒挿入駆動も背景技術で説明した黒挿入駆動と同様の駆動であるとして説明する。
【００９６】
図２（ａ）は、本実施の形態１の液晶表示装置１０の、液晶表示パネル１４の表示面と直交する方向から見たバックライト１５の平面図であり、図２（ｂ）は、図２（ａ）に示すバックライト１５のＡ−Ａ´断面図である。
【００９７】
バックライト１５は、複数のバックライトブロック３４ａ〜３４ｅで構成されている。そして、これら複数のバックライトブロック３４ａ〜３４ｅのそれぞれの両端には、光源であるＬＥＤ３２ａ〜３２ｅ、ＬＥＤ３３ａ〜３３ｅがそれぞれ配置されている。
【００９８】
そして、複数のバックライトブロック３４ａ〜３４ｅには、さらに、導光部３１ａ〜３１ｅがそれぞれ配置されている。
【００９９】
導光部３１ａ〜３１ｅは、１枚の導光板３０の、液晶表示パネル１４とは反対側の面に形成したブロック分割用のＶ溝３５ａｂ、３５ｂｃ、３５ｃｄ、３５ｄｅによって分割される各領域である。
【０１００】
それぞれのバックライトブロック３４ａ〜３４ｅは、そのバックライトブロックが対向している液晶表示パネル１４の表示領域の部分を主に照明するものである。なお、バックライト１５の光源であるＬＥＤ３２ａ〜３２ｅ、３３ａ〜３３ｅが射出する光の色は白色である。
【０１０１】
図３（ａ）は、バックライト１５で用いる導光板３０の、ＬＥＤ３２ａ〜３２ｅ側から見た斜視図を示しており、図３（ｂ）は、裏返した導光板３０をＬＥＤ３３ａ〜３３ｅ側から見た斜視図を示している。
【０１０２】
そして、図２及び図３に示すように、各導光部３１ａ〜３１ｅの液晶表示パネル１４と対向する側とは反対側の面、すなわちＶ溝３５ａｂ、３５ｂｃ、３５ｃｄ、３５ｄｅが形成されている面に、Ｖ溝３５ａｂ、３５ｂｃ、３５ｃｄ、３５ｄｅに平行な、輝度ムラ調整用のＶ溝３６を複数形成している。図１〜図３に示す本実施の形態１の例では、Ｖ溝３５ａｂ、３５ｂｃ、３５ｃｄ、３５ｄｅと同じ形状のＶ溝３６を、隣接する各Ｖ溝の間隔が等間隔となるように、各導光部３１ａ〜３１ｅに５つずつ形成している。
【０１０３】
なお、ブロック分割用のＶ溝３５ａｂ、３５ｂｃ、３５ｃｄ、３５ｄｅが、それぞれ本発明の第１の溝の一例にあたり、輝度ムラ調整用のＶ溝３６が、本発明の第２の溝の一例にあたる。
【０１０４】
１枚の導光板３０に対して、ブロック分割用のＶ溝３５ａｂ、３５ｂｃ、３５ｃｄ、３５ｄｅに加えて、輝度ムラ調整用のＶ溝３６を形成させた点が、本実施の形態１のバックライト１５の特徴である。
【０１０５】
なお、黒挿入駆動を行うとともに、ソースドライバ等による液晶表示パネル１４の駆動に連動してバックライト１５の点灯消灯を制御する動作自体は、図１０、図１３を用いて従来の液晶表示装置１０１において説明した内容と同じであるので、これらの動作の説明は省略する。
【０１０６】
次に、このような本実施の形態１の構成のバックライト１５を用いることにより、図１４に示した構成のバックライト５６で生じていた、スジ状の明線部分が認識されるという問題を防止できる理由について以下に説明する。
【０１０７】
図４（ａ）は、図２（ａ）に示した導光部３１ａ〜３１ｅを有する導光板３０のＡ−Ａ´断面図を示している。図４（ｂ）は、本実施の形態１で、スジ状の明線部分が視認される問題を防止できる説明をするための図で、図４（ａ）の破線で囲んだ部分を表している。
【０１０８】
各導光部３１ａ〜３１ｅ内の光がＶ溝の部分から外に漏れないようにするため、各Ｖ溝３５ａｂ、３５ｂｃ、３５ｃｄ、３５ｄｅ及び３６の表面は、いずれも凹凸を無くすための鏡面加工がされている。
【０１０９】
図１６（ｂ）に示した導光板６０の場合と同様に、図４（ｂ）に示すように、導光部３１ｂと導光部３１ｃを分割しているＶ溝３５ｂｃの溝表面は鏡面加工されているため、鏡面加工された溝表面における光の反射の影響により、導光板３０の液晶表示パネル１４側表面では、Ｖ溝３５ｂｃの上部にそれ以外の部分よりも多くの光が集まり、Ｖ溝３５ｂｃの上部に明線部分が生じる。そして、輝度ムラ調整用のＶ溝３６も、その溝表面が鏡面加工されているので、同様に、Ｖ溝３６の上部にも明線部分が生じる。
【０１１０】
したがって、液晶表示パネル１４の表面には、各導光部３１ａ〜３１ｅの境界部分に生じるスジ状の明線部分だけではなく、それらの明線部分間に平行な複数のスジ状の明線部分が生じる。
【０１１１】
人間の目の特性により、画面領域に対して明線部分の本数が少ないと、それらの明線部分が目立って視認されるが、明線部分の本数が多くなり画面領域に対する割合が大きくなると、それらが明線部分として目立たなくなり、明線部分と視認されなくなる。特に、明線部分とそれ以外の通常輝度部分の面積の割合を５０％ずつにすると、より目立たなくなる。
【０１１２】
さらに、導光板３０の表面に拡散シート２５を設けることにより、明線部分をさらに目立たなくさせることができる。拡散シート２５には、各Ｖ溝３５ａｂ、３５ｂｃ、３５ｃｄ、３５ｄｅ及び３６に対応する明線部分と、各Ｖ溝間に対応する通常輝度部分との明るさの違いを低減させる効果があるので、液晶表示パネル１４上の輝度ムラの無い表示を実現できる。なお、拡散シート２５が、本発明の光拡散層の一例にあたる。
【０１１３】
従来のように通常輝度部分に一定間隔を空けて数少ない明線部分が発生する場合には、拡散シートでぼかしても明線部分が目立ってしまうが、本実施の形態１のように、明線部分の割合を通常輝度部分と同等またはそれ以上の割合とすることにより、拡散シートによる効果も大きくなる。
【０１１４】
さらに、Ｖ溝の数が増えたことで、隣接するバックライトブロックへの光漏れを軽減させる効果も向上する。
【０１１５】
また、各Ｖ溝間の間隔をより狭くして、通常輝度部分に対する明線部分の面積の割合をより大きくすると、逆に通常輝度部分がスジ状の暗い部分として目立つようになるが、その場合には、拡散シートを重ねることで、その暗い通常輝度部分を目立たなくさせることができる。
【０１１６】
なお、Ｖ溝の底部分を角度が小さい尖った形状にした場合には、そのＶ溝の上部に形成される明線部分の中央部分に細いスジ状の影部が生じてしまう。この細いスジ状の影部を生じさせないために、図４（ｂ）に示すように、各Ｖ溝３５ｂｃ、３６の底部分を丸みを持たせた形状にしている。
【０１１７】
また、各Ｖ溝の深さを浅くしても、この細いスジ状の影部の発生を抑制することができる。各Ｖ溝の深さを浅くすると、導光板にＶ溝を形成する際の加工のし易さも向上する。
【０１１８】
なお、本実施の形態１では、Ｖ溝３５ａｂ、３５ｂｃ、３５ｃｄ、３５ｄｅ及びＶ溝３６を等間隔となるように形成することとしたが、明線部分やスジ状の暗い部分が輝度ムラとして視認されないようにできれば、これらのＶ溝間の間隔を等間隔としなくてもよい。
【０１１９】
（実施の形態２）
本発明の実施の形態２では、実施の形態１とは導光板の形状が異なる構成の液晶表示装置について説明する。
【０１２０】
本実施の形態２の液晶表示装置の構成は、実施の形態１の液晶表示装置と同様であり、そのブロック図は図１に示す通りである。バックライト１５が有する導光板の形状のみが、実施の形態１の導光板３０の形状と異なる。
【０１２１】
図５に、本実施の形態２の第１の構成例の導光板の断面図を示す。実施の形態１の導光板３０の代わりに導光板３７を用いるものであり、図５は、導光板３７の、図２（ａ）におけるＡ−Ａ´断面に相当する断面部分を示している。
【０１２２】
実施の形態１では、図４（ａ）に示すように、同一形状のＶ溝３５ａｂ、３５ｂｃ、３５ｃｄ、３５ｄｅ及び３６を、導光板３０の片面に所定の間隔をおいて等間隔に形成したが、本実施の形態２の導光板３７には、図５に示すように、同一形状のＶ溝３８を、間隔なく連続させるように形成している。
【０１２３】
Ｖ溝３８を連続させて形成することにより、隣接するＶ溝３８の上部に生じる明線部分が重なり合うようになる。各Ｖ溝３８の溝表面の反射によって生じる全ての明線部分が重なり合うようになるので、通常輝度部分による暗い部分が無くなる。
【０１２４】
次に、導光板の強度という観点で見てみると、導光板に形成する溝の断面積が小さい方が好ましい。一方、各バックライトブロック間では、できるだけ隣のブロックに光が漏れないようにするのが好ましい。
【０１２５】
図６に、本実施の形態２の第２の構成例の導光板の断面図を示す。実施の形態１の導光板３０の代わりに導光板３９を用いるものであり、図６は、導光板３９の、図２（ａ）におけるＡ−Ａ´断面に相当する断面部分を示している。
【０１２６】
導光板３９では、各バックライトブロックを分割するためのＶ溝４０の深さを、各導光部内に形成する輝度ムラ調整用のＶ溝４１の深さよりも深くしている。
【０１２７】
ブロック分割用のＶ溝４０の深さを大きくすることにより、隣接するバックライトブロックへの光の漏れを小さくできる。
【０１２８】
一方、輝度ムラ調整用のＶ溝４１の深さを浅くすることにより、Ｖ溝４１の断面積を小さくして、導光板３９の強度を向上させている。
【０１２９】
次に、図７に、本実施の形態２の第３の構成例の導光板を裏面から見た斜視図を示す。実施の形態１の導光板３０の代わりに導光板４２を用いる。
【０１３０】
本実施の形態２の導光板４２の各バックライトブロックを分割するためのＶ溝４４ａｂ、４４ｂｃ、４４ｃｄ、４４ｄｅは、図３（ｂ）に示した実施の形態１の導光板３０のブロック分割用のＶ溝３５ａｂ、３５ｂｃ、３５ｃｄ、３５ｄｅと同じ形状であり、その両端が開口された形状をしている。
【０１３１】
一方、本実施の形態２の導光板４２の、各導光部４３ａ〜４３ｅ内に形成される輝度ムラ調整用のＶ溝４５は、実施の形態１の導光板３０の輝度ムラ調整用のＶ溝３６の形状と異なり、その両端が開口されていない形状をしている。
【０１３２】
各導光部４３ａ〜４３ｅの両端に配置されるＬＥＤから射出される光を効率よく利用するためには、できるだけ多くの光を各導光部４３ａ〜４３ｅ内に誘導する必要がある。
【０１３３】
図３（ｂ）に示すような実施の形態１の導光板３０の形状の場合には、単に各導光部３１ａ〜３１ｅの両端でＬＥＤを発光させたのでは、開口しているＶ溝３６内にも光が入射し、その分の光エネルギーがバックライト１５の光源として利用されずに無駄になってしまう。この光エネルギーの無駄を無くすために、図３（ｂ）のような複雑な側面形状の各導光部３１ａ〜３１ｅにＬＥＤから射出される全ての光を誘導することは難しい。
【０１３４】
それに対して、図７のような単純な側面形状の各導光部４３ａ〜４３ｅの側面部分に、両端に配置されたＬＥＤから射出される全ての光を誘導させるのは容易である。
【０１３５】
つまり、本実施の形態２の導光板４２のような形状とすることにより、容易に各導光部４３ａ〜４３ｅ内に光源から射出される光を誘導でき、液晶表示装置の発光効率を向上させることができる。
【０１３６】
なお、図７に示した導光板４２では、ブロック分割用のＶ溝４４ａｂ、４４ｂｃ、４４ｃｄ、４４ｄｅの両端は開口している形状としたが、これらのＶ溝も輝度ムラ調整用のＶ溝４５と同様に、両端が開口していない形状としてもよい。
【０１３７】
ブロック分割用のＶ溝の両端も開口していない構成の例として、図８に、本実施の形態２の第４の構成例の導光板を裏面から見た斜視図を示す。実施の形態１の導光板３０の代わりに導光板４６を用いる。
【０１３８】
本実施の形態２の導光板４６の、各導光部４７ａ〜４７ｅ内に形成される輝度ムラ調整用のＶ溝４９は、図７に示した第３の構成例の導光板４６の場合と同様に、その両端が開口されていない形状をしている。
【０１３９】
一方、本実施の形態２の導光板４６の各バックライトブロックを分割するためのＶ溝４８ａｂ、４８ｂｃ、４８ｃｄ、４８ｄｅは、図７に示した第３の構成例の導光板４６の場合とは異なり、これらの溝の両端も開口されていない形状をしている。
【０１４０】
ブロック分割用のＶ溝４８ａｂ、４８ｂｃ、４８ｃｄ、４８ｄｅも、それらの両端を開口されていない形状としたことにより、導光板４６の強度は、図７に示した構成の導光板４２の強度よりも大きくなる。
【０１４１】
導光板４６の側面部分の強度が向上することにより、図７に示した構成の導光板４２よりも、各Ｖ溝４８ａｂ、４８ｂｃ、４８ｃｄ、４８ｄｅ及び４９を加工し易くなり、これらのＶ溝の深さをより深く加工できるようにもなる。
【０１４２】
導光板の側面部分の強度を強化するという点を考慮して、ブロック分割用のＶ溝を深く形成させるとともにその両端を開口させない構造とし、輝度ムラ調整用のＶ溝を浅く形成させるとともにそれらの両端を開口させる構造としてもよい。深く形成させた方の溝の両端を開口させない構造とすることにより、導光板の強度を確保できる。
【０１４３】
各実施の形態において、各Ｖ溝間の間隔やＶ溝の深さ、拡散シートなどの設定は、明線部分や暗い影部分の視認度合によって調整する。明線部分や暗い影部分の視認度合を測定器によって測定できない場合には、人が見て判断する官能試験の結果に基いて調整すればよい。
【０１４４】
なお、各実施の形態では、ブロック分割用の溝及び輝度ムラ調整用の溝を、Ｖ字形状の溝として説明したが、これらの溝の形状を垂直な壁形状としてもよい。
【０１４５】
また、各実施の形態の液晶表示装置１０では、背景技術で説明した液晶表示装置１０１と同様に、バックライト制御部１８が、液晶表示パネル１４の表示画面のうちバックライトブロック３４ａ〜３４ｅに対向している表示画面の領域について、図１３に示すように液晶表示パネル１４の駆動と連動させてバックライトブロック３４ａ〜３４ｅの点灯消灯を制御したが、これに限らず、例えば、バックライト制御部１８が、図１３とは異なるタイミングでバックライトブロック３４ａ〜３４ｅの点灯及び消灯を制御しても構わない。
【０１４６】
さらに、各実施の形態では、液晶表示パネル１４の対向基板に赤色、緑色、青色のカラーフィルタが設けられており、バックライト１５の光源であるＬＥＤ３２ａ〜３２ｅ、３３ａ〜３３ｅが射出する光の色が白色であるとして説明したが、これに限らず、例えば、各実施の形態における液晶表示装置１０を、いわゆるフィールドシーケンシャルカラー方式の液晶表示装置として動作させることもできる。
【０１４７】
ここで、フィールドシーケンシャルカラー方式とは、液晶表示パネル１４の対向基板にカラーフィルタを形成せずに、１画素で３色（赤色、緑色、青色）の画像を１フレーム期間（または１フィールド期間）に時間的に順次表示する方式であり、液晶表示パネル１４の対向基板にカラーフィルタを設ける方式に比較して、高透過率、高解像度化が図れるという利点を有している。
【０１４８】
すなわち、１フレーム期間（または１フィールド期間）に、３原色である赤表示期間、緑表示期間、及び青表示期間を設ける。そして、赤表示期間の直後に黒挿入期間を設け、緑表示期間の直後にも黒挿入期間を設け、青表示期間の直後にも黒挿入期間を設ける。
【０１４９】
すなわち、液晶表示装置１０がフィールドシーケンシャルカラー方式である場合には、上述した各実施の形態の動作を赤色の表示期間とその直後の黒表示期間、緑色の表示期間とその直後の黒表示期間、青色の表示期間のその直後の黒表示期間でそれぞれ繰り返せばよい。そして、バックライトブロック３４ａ〜３４ｅのＬＥＤ３２ａ〜３２ｅ、３３ａ〜３３ｅが、赤色、緑色、青色の光を射出することができるものであればよい。
【０１５０】
さらに、各実施の形態では、液晶表示パネル１４が有する液晶層にＯＣＢモード液晶が用いられているとして説明したが、ＯＣＢモード液晶以外の液晶を用いても構わない。例えば、ＴＮ（Ｔｗｉｓｔｅｄ  Ｎｅｍａｔｉｃ）タイプの液晶層、ＳＴＮ（Ｓｕｐｅｒ−Ｔｗｉｓｔｅｄ  Ｎｅｍａｔｉｃ）モードの液晶層、ＤＳＭ（Ｄｙｎａｍｉｃ  Ｓｃａｔｔｅｒｉｎｇ  Ｍｏｄｅ：動的散乱モード）の液晶層、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折モード）の液晶層、ＶＡ（Ｖｅｒｔｉｃａｌｌｙ  Ａｌｉｇｎｅｄ）モードの液晶層などを用いても構わない。なお、液晶表示パネル１４でＣＲＴのようなインパルス型の表示に近づけるためには、高速応答性を有する液晶を用いることがより好ましい。
【０１５１】
さらに、各実施の形態の液晶表示装置１０は、背景技術で説明した液晶表示装置１０１と同様にＯＣＢモードの液晶表示素子を用いた液晶表示装置であるとして説明した。すなわち、ＯＣＢモードの液晶表示素子を用いた方が、ＴＮ（Ｔｗｉｓｔｅｄ  Ｎｅｍａｔｉｃ）配向液晶表示パネルを用いるより高速応答性の点で好ましい。しかし、このことは、各実施の形態の液晶表示装置１０の液晶表示パネル１４が、ＯＣＢモード液晶表示素子を用いるものであることに限定するものではない。
【０１５２】
また、各実施の形態の液晶表示装置１０の液晶表示パネル１４として、ＴＮ（Ｔｗｉｓｔｅｄ  Ｎｅｍａｔｉｃ）配向液晶表示パネルなど、逆転移防止駆動を必要としない液晶層を用いた液晶表示パネルを用いて黒挿入駆動を行う場合についても、上記各実施の形態を以下のように適用することができる。
【０１５３】
すなわち、このような液晶表示装置の場合には、上記各実施の形態で説明した転移駆動を行う必要がない。それ以外は、上記実施の形態と同様である。
【０１５４】
さらに、各実施の形態では、バックライト１５の光源はＬＥＤ３２ａ〜３２ｅ、３３ａ〜３３ｅであるとして説明したが、これに限らず、バックライト１５の光源として冷陰極管を用いても構わない。また、バックライト１５の光源としてＥＬ素子を利用した光源を用いても構わない。要するに、バックライト１５の光源として、高速応答性を有する光源を用いさえすればよい。
【０１５５】
さらに、上記実施の形態では、バックライト１５の光源としてＬＥＤ３２ａ〜３２ｅ、３３ａ〜３３ｅが、各バックライトブロック３４ａ〜３４ｅの両側にそれぞれ設けられているとして説明したが、これに限らない。各バックライトブロックに関して、その片側に設けても構わない。
【０１５６】
さらに、各実施の形態では、バックライト１５が５個のバックライトブロック３４ａ〜３４ｅに分割されているとしたが、これに限らない。バックライト１５が少なくとも２個以上のバックライトブロックに分割されていればよく、また、多くとも液晶表示パネルの縦方向の画素数（走査線の本数）に等しい個数のバックライトブロックに分割されていればよい。なお、液晶表示パネルの縦方向の画素数（走査線の本数）の１／５程度の個数から走査線の本数に等しい個数のバックライトとしては、例えばＥＬ表示素子を用いた光源をバックライトとして用いて構成することも可能である。
【０１５７】
また、各バックライトブロック毎に、隣接する他のバックライトブロックに伝搬する光量が異なっているように予め設計されていても構わない。このような場合であっても、上記各実施の形態を適用することができる。
【産業上の利用可能性】
【０１５８】
本発明に係る液晶表示装置は、バックライトを複数のバックライトブロックに分割して構成した場合、液晶表示パネルの表示画面に見える輝度ムラを従来に比べて抑制することができるという効果を有し、複数のバックライトブロックに分割されたバックライトを備えた液晶表示装置等に有用である。
【図面の簡単な説明】
【０１５９】
【図１】本発明の実施の形態１の液晶表示装置の構成を示すブロック図
【図２】（ａ）本発明の実施の形態１の液晶表示装置のバックライトの構成を示す平面図、（ｂ）本発明の実施の形態１の液晶表示装置のバックライトの構成を示す断面図
【図３（ａ）】本発明の実施の形態１の液晶表示装置の導光板の斜視図
【図３（ｂ）】本発明の実施の形態１の液晶表示装置の導光板を裏側から見た斜視図
【図４】（ａ）本発明の実施の形態１の液晶表示装置の導光板の断面図、（ｂ）本発明の実施の形態１の液晶表示装置のバックライトにおいて、スジ状の明線部分が視認される問題を防止する説明図
【図５】本発明の実施の形態２の第１の構成例の導光板の断面図
【図６】本発明の実施の形態２の第２の構成例の導光板の断面図
【図７】本発明の実施の形態２の第３の構成例の導光板の裏面から見た斜視図
【図８】本発明の実施の形態２の第４の構成例の導光板の裏面から見た斜視図
【図９】（ａ）従来のＯＣＢモードの液晶表示素子が有する液晶分子の配向状態を模式的に示し、電圧印加状態を示す断面図、（ｂ）従来のＯＣＢモードの液晶表示素子が有する液晶分子の配向状態を模式的に示し、電圧印加状態を示す断面図、（ｃ）従来のＯＣＢモードの液晶表示素子が有する液晶分子の配向状態を模式的に示し、電圧無印加状態を示す断面図
【図１０】従来の液晶表示装置の構成を示すブロック図
【図１１】（ａ）従来の液晶表示装置のバックライトの構成を示す平面図、（ｂ）従来の液晶表示装置のバックライトの構成を示す断面図
【図１２】従来の液晶表示装置のブロック分割された各導光板の配置を示す斜視図
【図１３】従来の液晶表示装置の黒挿入駆動時の、ゲートパルス、及びバックライトブロックの点灯消灯のタイミングチャートの一例を示す図
【図１４】（ａ）１枚の導光板を溝によって各バックライトブロックに分割する構成のバックライトの平面図、（ｂ）１枚の導光板を溝によって各バックライトブロックに分割する構成のバックライトの断面図
【図１５】１枚の導光板を溝によって各バックライトブロックに分割する構成のバックライトの導光板を示す斜視図
【図１６】（ａ）１枚の導光板を溝によって各バックライトブロックに分割する構成のバックライトの、導光板の断面図、（ｂ）１枚の導光板を溝によって各バックライトブロックに分割する構成のバックライトにおける、明るいスジ状の部分の発生を説明するための図
【符号の説明】
【０１６０】
１０  液晶表示装置
１１  ソースドライバ
１２  ゲートドライバ
１３  コントローラ
１４  液晶表示パネル
１５  バックライト
１６  フレームメモリ
１７  液晶駆動電圧発生回路
１８  バックライト制御部
２１  信号処理部
２２  タイミング制御部
２３  Ｄ／Ａ変換部
２４  シフトレジスタ
２５  拡散シート
３０、３７、３９、４２、４６  導光板
３１ａ〜３１ｅ、４３ａ〜４３ｅ、４７ａ〜４７ｅ  導光部
３２ａ〜３２ｅ、３３ａ〜３３ｅ  ＬＥＤ
３４ａ〜３４ｅ  バックライトブロック
３５ａｂ、３５ｂｃ、３５ｃｄ、３５ｄｅ、４０、４４ａｂ、４４ｂｃ、４４ｃｄ、４４ｄｅ、４８ａｂ、４８ｂｃ、４８ｃｄ、４８ｄｅ  ブロック分割用のＶ溝
３６、４１、４５、４９  輝度ムラ調整用のＶ溝
３８  Ｖ溝
【図１】
2009031445.tif 000003
【図２】
2009031445.tif 000004
【図３（ａ）】
2009031445.tif 000005
【図３（ｂ）】
2009031445.tif 000006
【図４】
2009031445.tif 000007
【図５】
2009031445.tif 000008
【図６】
2009031445.tif 000009
【図７】
2009031445.tif 000010
【図８】
2009031445.tif 000011
【図９】
2009031445.tif 000012
【図１０】
2009031445.tif 000013
【図１１】
2009031445.tif 000014
【図１２】
2009031445.tif 000015
【図１３】
2009031445.tif 000016
【図１４】
2009031445.tif 000017
【図１５】
2009031445.tif 000018
【図１６】
2009031445.tif 000019